【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
情報処理装置であって、
画像データを画像記録装置から受信する第１の受信手段と、
位置情報と日時情報とが対応づけられた、前記画像記録装置の移動軌跡を示すログデータを前記画像記録装置から受信する第２の受信手段と、
前記第１の受信手段による画像データの受信処理または前記第２の受信手段によるログデータの受信処理のうち、いずれか一方の処理を行う指示を受け付ける手段と、
前記いずれか一方の処理を行う指示が受け付けられた場合、指示された方のデータの受信処理を行うとともに、指示されなかった方のデータの受信処理も自動的に開始するよう制御する制御手段とを有することを特徴とする情報処理装置。
【請求項２】
前記指示されなかった方のデータの受信処理を、前記指示された方のデータの受信処理に続いて自動的に行うか否かを、選択可能であることを特徴とする請求項１に記載の情報処理装置。
【請求項３】
前記第１の受信手段は、既に受信した画像データは受信しないことを特徴とする請求項１または２に記載の情報処理装置。
【請求項４】
前記画像記録装置が記録媒体に記録している画像データが既に受信した画像データであるか否かを示す画像転送済み情報を前記画像記録装置から受信する手段と、
前記画像転送済み情報に基づいて前記第１の受信手段により受信される画像データが既に受信した画像データであるか否かを判断する第１の判断手段と、
前記第１の受信手段は、前記第１の判断手段により既に受信した画像データであると判断された画像データは受信しないことを特徴とする請求項１または２に記載の情報処理装置。
【請求項５】
前記第２の受信手段は、既に受信したログデータは受信しないことを特徴とする請求項１乃至４のいずれか１項に記載の情報処理装置。
【請求項６】
前記画像記録装置が記録媒体に記録しているログデータが既に受信したログデータであるか否かを示すログ転送済み情報を前記画像記録装置から受信する手段と、
前記ログ転送済み情報に基づいて前記記録媒体に記録されているログデータが既に受信したログデータであるか否かを判断する第２の判断手段と、
前記第２の受信手段は、前記第２の判断手段により既に受信したログデータであると判断されたログデータは受信しないことを特徴とする請求項１または２に記載の情報処理装置。
【請求項７】
前記画像記録装置が前記ログデータを扱うことができるか否かを判断する第３の判断手段を有し、
前記第３の判断手段により、前記画像記録装置が前記ログデータを扱うことができないと判断された場合、前記第２の受信手段は、前記ログデータを受信しないことを特徴とする請求項１乃至６のいずれか１項に記載の情報処理装置。
【請求項８】
前記画像記録装置がログデータを扱うことができるか否かを判断することができるサポート情報を受信する手段を有し、
前記第３の判断手段は、前記サポート情報に基づき、前記画像記録装置がログデータを扱うことができるか否かを判断することを特徴とする請求項７に記載の情報処理装置。
【請求項９】
前記ログデータを記録媒体に記録する記録手段と、
前記第２の受信手段により受信されるログデータのサイズを取得する取得手段と、
前記取得手段により得られたログデータのサイズが、前記記録媒体の空き容量のサイズよりも大きいか否かを判断する比較手段と、
前記比較手段により、前記取得手段により得られたログデータのサイズが、前記記録媒体の空き容量のサイズよりも大きいと判断された場合、前記第２の受信手段は、前記ログデータを受信しないことを特徴とする請求項１乃至８のいずれか１項に記載の情報処理装置。
【請求項１０】
前記第２の受信手段により前記ログデータを受信した場合、前記画像記録装置に記録されているログデータのうち、少なくとも前記第２の受信手段により受信したログデータを削除させる指示を前記画像記録装置に送信することを特徴とする請求項１乃至９のいずれか１項に記載の情報処理装置。
【請求項１１】
前記画像記録装置と通信が可能となったか否かを判断する第４の判断手段と、
前記第４の判断手段により前記画像記録装置と通信が可能となったと判断された場合、前記第１の受信手段による画像データの受信処理を行うとともに、前記第２の受信手段によるログデータの受信処理も自動的に開始することを特徴とした請求項１乃至１０のいずれか１項に記載の情報処理装置。
【請求項１２】
前記制御手段は、前記画像データの受信処理および前記ログデータの受信処理を制御するアプリケーションソフトウェアを実行し、
前記制御手段により前記画像データの受信処理を制御するためのアプリケーションソフトウェアと、前記制御手段により前記ログデータの受信処理を制御するためのアプリケーションソフトウェアとは、それぞれ異なるアプリケーションソフトウェアであることを特徴とした請求項１乃至１１のいずれか１項に記載の情報処理装置。
【請求項１３】
情報処理装置と通信することが可能な画像記録装置であって、
画像データを前記情報処理装置に送信する第１の送信手段と、
位置情報と日時情報とが対応づけられた、前記画像記録装置の移動軌跡を示すログデータを前記情報処理装置に送信する第２の送信手段と、
前記画像記録装置がデータを前記情報処理装置へ送信するための処理を行う指示を前記情報処理装置から受け付ける手段とを有し、
前記指示が受け付けられた場合、第１の送信手段による画像データの送信処理を行い、該画像データの送信処理に続いて、自動的に第２の送信手段によるログデータの送信処理を開始することを特徴とする画像記録装置。
【請求項１４】
前記第２の送信手段は、既に送信したログデータは送信しないことを特徴とする請求項１０に記載の画像記録装置。
【請求項１５】
前記第２の送信手段によりログデータを送信した場合、少なくとも前記送信したログデータを削除する指示を前記情報処理装置から受け付けることを特徴とする請求項１３または１４に記載の画像記録装置。
【請求項１６】
前記情報処理装置と通信が可能となったか否かを判断する判断手段と、
前記判断手段により前記情報処理装置と通信が可能となったと判断された場合、前記第１の送信手段による画像データの送信処理を行うとともに、前記第２の送信手段によるログデータの送信処理を開始することを特徴とした請求項１３乃至１５のいずれか１項に記載の画像記録装置。
【請求項１７】
情報処理装置の制御方法であって、
画像データを画像記録装置から受信するための処理を行う第１の受信工程と、
位置情報と日時情報とが対応づけられた、前記画像記録装置の移動軌跡を示すログデータを前記画像記録装置から受信するための処理を行う第２の受信工程と、
前記第１の受信工程または前記第２の受信工程のいずれか一方を実行する指示を受け付ける指示工程と、
前記指示工程にて、いずれか一方の受信工程を実行する指示が受け付けられた場合、指示された方の受信工程を実行するとともに、指示されなかった方のデータの受信工程も自動的に開始することを特徴とする情報処理装置の制御方法。
【請求項１８】
画像記録装置の制御方法であって、
画像データを情報処理装置に送信するための処理を行う第１の送信工程と、
位置情報と日時情報とが対応づけられた、前記画像記録装置の移動軌跡を示すログデータを前記情報処理装置に送信するための処理を行う第２の送信工程と、
前記画像記録装置が記録媒体に記録しているデータを前記情報処理装置に送信する指示を前記情報処理装置から受け付ける指示工程とを有し、
前記指示工程にて指示が受け付けられた場合、第１の送信工程を実行し、それに続いて自動的に第２の送信工程を開始することを特徴とする画像記録装置の制御方法。
【請求項１９】
コンピュータを請求項１乃至１２のいずれか１項に記載の情報処理装置として機能させるための、コンピュータが読み取り可能なプログラム。
【請求項２０】
コンピュータを請求項１３乃至１６のいずれか１項に記載の画像記録装置として機能させるための、コンピュータが読み取り可能なプログラム。
【手続補正２】
【補正対象書類名】明細書
【補正対象項目名】０００７
【補正方法】変更
【補正の内容】
【０００７】
上記目的を達成するために、本発明の情報処理装置は、画像データを画像記録装置から受信する第１の受信手段と、位置情報と日時情報とが対応づけられた、前記画像記録装置の移動軌跡を示すログデータを前記画像記録装置から受信する第２の受信手段と、前記第１の受信手段による画像データの受信処理または前記第２の受信手段によるログデータの受信処理のうち、いずれか一方の処理を行う指示を受け付ける手段と、前記いずれか一方の処理を行う指示が受け付けられた場合、指示された方のデータの受信処理を行うとともに、指示されなかった方のデータの受信処理も自動的に開始するよう制御する制御手段とを有することを特徴とする。
【手続補正３】
【補正対象書類名】明細書
【補正対象項目名】００９８
【補正方法】変更
【補正の内容】
【００９８】
さらに、上述した構成とすることにより、たとえ画像データが一枚もない場合でも、ログデータの取り込みを促す画面は表示される。これにより、撮影をせずログデータの更新だけが生じた場合においても、ログデータを忘れずに取り込むことができる。